【手続補正書】
【提出日】平成28年12月9日(2016.12.9)
【手続補正１】
【補正対象書類名】特許請求の範囲
【補正対象項目名】全文
【補正方法】変更
【補正の内容】
【特許請求の範囲】
【請求項１】
上面を有するタッチシートと、
前記タッチシートの下に位置し、金属導体を含む電極で構成されたキャパシタのマトリクスを有するタッチセンサであって、ユーザの指またはスタイラスが前記上面に接触したのに応答して前記キャパシタのうちの少なくとも１つの容量の変化を示すように構成されたタッチセンサであって、列状に配列された複数の受信電極を含む受信電極層と、行状に配列された複数の送信電極を含む送信電極層と、前記受信電極層と前記送信電極層の中間に位置する誘電体層とを含む、タッチセンサと、
キャパシタの前記マトリクスの下に位置するディスプレイスタックであって、前記ディスプレイスタックの上面を通して、前記タッチセンサおよび前記タッチシートを通って発光方向に進行するように光を発出するように構成されたディスプレイスタックとを備え、
前記タッチシートの前記上面と前記ディスプレイスタックの前記上面との間の距離が、約３００〜１１２５マイクロメートルであり、
前記受信電極層の厚さおよび前記送信電極層の厚さが、それぞれ５０マイクロメートルより大きく２００マイクロメートル以下である、容量性タッチセンシティブ表示装置。
【請求項２】
前記タッチシートの厚さが、約５０〜５００マイクロメートルである、請求項１に記載の容量性タッチセンシティブ表示装置。
【請求項３】
前記タッチセンサの底面を前記ディスプレイスタックの前記上面に接合する第１の光学用透明接着剤層をさらに備え、
前記第１の光学用透明接着剤層の厚さが、約２５〜２００マイクロメートルである、請求項１に記載の容量性タッチセンシティブ表示装置。
【請求項４】
前記タッチシートの底面を前記タッチセンサの上面に接合する第２の光学用透明接着剤層をさらに備え、
前記第２の光学用透明接着剤層の厚さが、約２５〜２００マイクロメートルである、請求項３に記載の容量性タッチセンシティブ表示装置。
【請求項５】
各キャパシタが、前記受信電極層の各電極と前記送信電極層の各電極の間の交差領域に形成される、請求項１に記載の容量性タッチセンシティブ表示装置。
【請求項６】
前記マトリクス中の前記列の前記受信電極の前記金属導体および前記行の前記送信電極の前記金属導体が、前記ディスプレイスタック中の電極と前記ディスプレイスタックの上面の上方の前記マトリクス中の前記キャパシタによって生成される電界との間の電気的な干渉を防止するように十分に精細なピッチで離間しており、前記干渉が、キャパシタの全容量に対する指またはスタイラスの接触による容量の変化の比を１：１０〜８：１０にするのに十分な程度に防止される、請求項５に記載の容量性タッチセンシティブ表示装置。
【請求項７】
前記受信電極の前記金属導体の前記ピッチおよび前記送信電極の前記金属導体の前記ピッチが、２〜３．５ｍｍである、請求項６に記載の容量性タッチセンシティブ表示装置。
【請求項８】
前記タッチセンサが、それぞれが複数の隣接する受信電極を電気的に接続して対応する受信電極グループにする複数の受信連結構造をさらに含み、それぞれが複数の隣接する送信電極を電気的に接続して対応する送信電極グループにする複数の送信連結構造をさらに含むことにより、各受信電極グループと各送信電極グループの間の交差領域の有効容量を、受信電極と送信電極が一体化されている構造と比較して少なくとも約４倍に高める、請求項５に記載の容量性タッチセンシティブ表示装置。
【請求項９】
前記受信電極グループおよび前記送信電極グループが、４〜７ｍｍのピッチで配列され、前記タッチシート、前記タッチセンサ、および前記ディスプレイスタックが、それぞれ３０インチ以上の対角線寸法を有する、請求項８に記載の容量性タッチセンシティブ表示装置。
【請求項１０】
ディスプレイスタックの上面を通して光を発出するように構成されるディスプレイスタックを提供する工程と、
前記ディスプレイスタックの上面の上に第１の光学用透明接着剤層を積層する工程と、
前記第１の接着剤層の上方に位置決めされた金属導体を含む電極で構成されたキャパシタのマトリクスを有するタッチセンサを積層する工程と、
列状に配列された複数の受信電極を含む受信電極層を形成し、
行状に配列された複数の送信電極を含む送信電極層を形成し、
前記受信電極層と前記送信電極層の中間に位置決めされた誘電体層を形成することによって、
キャパシタの前記マトリクスを形成する工程と、
キャパシタの前記マトリクスの上方に第２の光学用透明接着剤層を積層する工程と、
前記第２の接着剤層の上方にタッチシートを積層する工程とを含み、
前記タッチシートの上面と前記ディスプレイスタックの前記上面との間の距離が、約３００〜１１２５マイクロメートルであり、
キャパシタの前記マトリクスは、ユーザの指またはスタイラスが前記タッチシートの前記上面に接触したのに応答して前記キャパシタのうちの少なくとも１つの容量の変化を示すように構成され、
各キャパシタが、前記受信電極層の各電極と前記送信電極層の各電極の間の交差領域に形成され、
前記受信電極層の厚さおよび前記送信電極層の厚さのそれぞれが、５０マイクロメートルより大きく２００マイクロメートル以下である、容量性タッチセンシティブ表示装置を製造する方法。
【請求項１１】
前記タッチシートの厚さが、約５０〜５００マイクロメートルである、請求項１０に記載の容量性タッチセンシティブ表示装置を製造する方法。
【請求項１２】
前記第１の光学用透明接着剤層の厚さおよび前記第２の光学用透明接着剤層の厚さのそれぞれが、約２５〜２００マイクロメートルである、請求項１０に記載の容量性タッチセンシティブ表示装置を製造する方法。
【請求項１３】
前記マトリクス中の前記列の前記受信電極の前記金属導体および前記行の前記送信電極の前記金属導体が、前記ディスプレイスタック中の電極と前記ディスプレイスタックの上面の上方の前記マトリクス中の前記キャパシタによって生成される電界との間の電気的な干渉を防止するように十分に精細なピッチで離間しており、前記干渉が、キャパシタの全容量に対する指またはスタイラスの接触による容量の変化の比を１：１０〜８：１０にするのに十分な程度に防止され、前記ピッチが、３．５ｍｍ以上である、請求項１０に記載の容量性タッチセンシティブ表示装置を製造する方法。
【請求項１４】
複数の隣接する受信電極を電気的に接続して受信電極グループにする複数の受信連結構造をさらに含むように、および複数の隣接する送信電極を電気的に接続して送信電極グループにする複数の送信連結構造をさらに含むように、前記マトリクスを形成する工程を含むことにより、前記受信電極グループと前記送信電極グループの間の交差領域の有効容量を、受信電極と送信電極が一体化されている構造と比較して少なくとも約４倍に高める、請求項１０に記載の容量性タッチセンシティブ表示装置を製造する方法。
【請求項１５】
前記タッチシート、キャパシタの前記マトリクス、および前記ディスプレイスタックが、それぞれ３０インチを超える対角線寸法を有する、請求項１０に記載の容量性タッチセンシティブ表示装置を製造する方法。
【請求項１６】
上面を有するタッチシートであって、当該タッチシートの厚さが、約５０〜５００マイクロメートルである、タッチシートと、
前記タッチシートの下に位置し、金属導体を含む電極で構成されたキャパシタのマトリクスを有するタッチセンサであって、ユーザの指またはスタイラスが前記上面に接触したのに応答して前記キャパシタのうちの少なくとも１つの容量の変化を示すように構成されたタッチセンサであって、列状に配列された複数の受信電極を含む受信電極層と、行状に配列された複数の送信電極を含む送信電極層と、前記受信電極層と前記送信電極層の中間に位置する誘電体層とを含み、各キャパシタが、前記受信電極層の各電極と前記送信電極層の各電極の間の交差領域に形成される、タッチセンサと、
キャパシタの前記マトリクスの下に位置するＬＣＤディスプレイスタックであって、前記ＬＣＤディスプレイスタックの上面を通して、前記キャパシタのマトリクスおよび前記タッチシートを通って発光方向に進行するように光を発出するように構成されたＬＣＤディスプレイスタックと、
前記タッチセンサの底面を前記ＬＣＤディスプレイスタックの前記上面に接合する第１の光学用透明接着剤層であって、当該第１の光学用透明接着剤層の厚さが、約２５〜２００マイクロメートルである、第１の光学用透明接着剤層とを備え、
前記タッチシートの前記上面と前記ＬＣＤディスプレイスタックの前記上面との間の距離が、約３００〜１１２５マイクロメートルであり、
前記マトリクス中の前記列の前記受信電極の前記金属導体および前記行の前記送信電極の前記金属導体が、２〜３．５ｍｍのピッチで離間しており、
前記受信電極層の厚さおよび前記送信電極層の厚さが、それぞれ５０マイクロメートルより大きく２００マイクロメートル以下である、容量性タッチセンシティブ表示装置。